(57)【要約】【課題】新しい携帯電話機を購入したユーザーが、旧携帯電話機内の所望のデータを新しい携帯電話機に移動するデータ移動サービスを簡単且つ安価に受けられるようにする。【解決手段】携帯電話機販売店４に接続端末２を設置し、この接続端末２にデータ変換サーバー２２を接続する。接続端末２は、新旧携帯電話機の端末情報を取得する端末情報取得手段と、旧携帯電話機から内部記憶情報を抜き取る元データ抜き取り手段と、元データ抜き取り手段が抜き取ったデータをデータ変換サーバーに送信する元データ送信手段と、データ変換サーバーが変換したデータを受信する変換データ受信手段と、変換データ受信手段が受信した変換データを新携帯電話機の記憶装置に書き込む変換データ書き込み手段として機能し、データ変換サーバー２２は、接続端末２からの元データを受信するデータ受信手段と、元データを新携帯電話機３８の機器構成に対応したデータに変換するデータ変換手段と、データ変換手段が変換したデータを接続端末２に送信する変換データ送信手段として機能する。【選択図】  図1
2005328399.tif 000002
【特許請求の範囲】
【請求項１】
携帯電話機販売店に、各種の機器構成の異なる携帯電話機を接続するための接続口を有するコンピュータを内蔵した接続端末を設置し、前記接続端末にデータ変換サーバーを接続し、前記接続端末の接続口に旧携帯電話機とこれと機器構成の異なる新携帯電話機を接続し、旧携帯電話機の記憶情報を新携帯電話機の記憶装置に移動するようにした携帯電話データサービスシステムであって、前記接続端末を、
前記新旧携帯電話機の機器構成情報を取得する端末情報取得手段、
前記旧携帯電話機から内部記憶情報を抜き取る元データ抜き取り手段、
前記元データ抜き取り手段が抜き取ったデータを前記データ変換サーバーに送信する元データ送信手段、
前記データ変換サーバーが変換したデータを受信する変換データ受信手段、
前記変換データ受信手段が受信した変換データを前記新携帯電話機の記憶装置に書き込む変換データ書き込み手段、
として機能させ、前記データ変換サーバーを、
前記接続端末からの元データを受信するデータ受信手段、
前記元データの旧携帯電話機内情報を新携帯電話機の機器構成に対応したデータに変換するデータ変換手段、
前記データ変換手段が変換したデータを前記接続端末に送信する変換データ送信手段、
として機能させ、
前記元データ抜き取り手段が旧携帯電話機から抜き取る内部記憶情報は、電話帳情報、画像情報、着メロ情報およびその他の旧携帯電話機に記憶されている情報であることを特徴とする携帯電話データサービスシステム。
【請求項２】
前記データ変換サーバーが前記販売店に設けられ、該データ変換サーバーと前記接続端末とが直接に接続されていることを特徴とする請求項１に記載の携帯電話データサービスシステム。
【請求項３】
前記データ変換サーバーをインターネット上に設置し、前記各販売店の接続端末をインターネットを通じて前記データ変換サーバーに接続したことを特徴とする請求項１に記載の携帯電話データサービスシステム。
【請求項４】
前記データ変換サーバーと前記接続端末との間のデータ通信を管理するアクセス管理サーバーを設け、前記各販売店に対して前記データ変換サーバーへのアクセスに応じた課金を徴収するようにしたことを特徴とする請求項３に記載の携帯電話データサービスシステム。
【請求項５】
前記データ変換サーバーにデータ保存データベースを設け、受信した元データを保管し、該保管サービスに対して、利用者に課金を徴収するようにしたことを特徴とする請求項１又は請求項３に記載の携帯電話データサービスシステム。
【発明の詳細な説明】
【技術分野】
【０００１】
本発明は、多数の携帯電話機販売店に、各種の機器構成の異なる携帯電話機を接続するための接続口を有するコンピュータを内蔵した接続端末を設置し、接続端末の接続口に旧携帯電話機とこれと機器構成の異なる新携帯電話機を接続することで、旧携帯電話機の記憶情報を新携帯電話機の記憶装置に移動できるようにした携帯電話データサービスシステムに関する。
【背景技術】
【０００２】
新しく携帯電話機を購入し、今まで使っていた旧携帯電話機に記録されている各種の情報を新しい携帯電話機に移動したとき、携帯電話機の販売店では、特定の電話帳情報などの一部の情報についてのみ、新しい携帯電話機へのデータ移動のサービスを行っている。また携帯電話機に格納されている「静像」や「動画像」データをパソコンに移動してパソコンにて表示・再生したり、パソコンから画像を携帯電話機へ書き込むソフトが市販されている。
【発明の開示】
【発明が解決しようとする課題】
【０００３】
携帯電話機の販売店では、キャリア（携帯電話事業者）や製造メーカの異なる異機器構成携帯電話機間の画像データや着メロ情報等のデータ移動サービスを行っていない。また、パソコン用のソフトを使用して画像データや着メロ情報を異機器構成携帯電話機間でデータ移動させるのは高額な費用がかかってしまい、個人でこれを利用するのは経費がかかりすぎ、簡単に利用できないという問題点があった。
本発明は上記問題点を解決することを目的とする。
【課題を解決するための手段】
【０００４】
上記目的を達成するため本発明は、携帯電話機販売店に、各種の機器構成の異なる携帯電話機を接続するための接続口を有するコンピュータを内蔵した接続端末を設置し、前記接続端末にデータ変換サーバーを接続し、前記接続端末の接続口に旧携帯電話機とこれと機器構成の異なる新携帯電話機を接続し、旧携帯電話機の記憶情報を新携帯電話機の記憶装置に移動するようにした携帯電話データサービスシステムであって、前記接続端末を、
前記新旧携帯電話機の機器構成情報を取得する端末情報取得手段、
前記旧携帯電話機から内部記憶情報を抜き取る元データ抜き取り手段、
前記元データ抜き取り手段が抜き取ったデータを前記データ変換サーバーに送信する元データ送信手段、
前記データ変換サーバーが変換したデータを受信する変換データ受信手段、
前記変換データ受信手段が受信した変換データを前記新携帯電話機の記憶装置に書き込む変換データ書き込み手段、
として機能させ、前記データ変換サーバーを、
前記接続端末からの元データを受信するデータ受信手段、
前記元データの旧携帯電話機内情報を新携帯電話機の機器構成に対応したデータに変換するデータ変換手段、
前記データ変換手段が変換したデータを前記接続端末に送信する変換データ送信手段、
として機能させ、
前記元データ抜き取り手段が旧携帯電話機から抜き取る内部記憶情報は、電話帳情報、画像情報、着メロ情報およびその他の旧携帯電話機に記憶されている情報であることを特徴とするものである。
また本発明は、前記データ変換サーバーが前記販売店に設けられ、該データ変換サーバーと前記接続端末とが直接に接続されているものである。
また本発明は、前記データ変換サーバーをインターネット上に設置し、前記各販売店の接続端末をインターネットを通じて前記データ変換サーバーに接続したものである。
また本発明は、前記データ変換サーバーと前記接続端末との間のデータ通信を管理するアクセス管理サーバーを設け、前記各販売店に対して前記データ変換サーバーへのアクセスに応じた課金を徴収するようにしたものである。
また本発明は、前記データ変換サーバーにデータ保存データベースを設け、受信した元データを保管し、該保管サービスに対して、利用者に課金を徴収するようにしたものである。
【発明の効果】
【０００５】
本発明は、携帯電話機の販売店に接続端末を備えることで、個人が安価に異機器構成携帯電話機間の画像データなどのデータ移動サービスを受けることが可能となる。
【発明を実施するための最良の形態】
【０００６】
以下に本発明の実施の形態を添付した図面を参照して詳細に説明する。
図１は本発明に係る携帯電話データサービスシステムのハードウエア構成を示している。図中、符号２は携帯電話機の多数の販売店４に設置されたコンピュータからなる接続端末であり、そのケーシング内に、電話機接続コネクタ６と、通信コネクタ８が内蔵されている。電話機接続コネクタ６には携帯電話機を接続端末２にコードを介して脱着自在に接続するための複数の接続口１０を有し、該接続口１０は、それぞれ市販の携帯電話機の端末機器構成に対応している。
【０００７】
前記接続端末２の記憶装置には、データ抜き取りプログラム１２、データ送信プログラム１４、データ受信プログラム１６、データ書き込みプログラム１８が格納されている。また、接続端末２の記憶装置には各接続口１０ごとに、これに対応した携帯電話機の機器構成情報が格納されている。なお、予め接続端末２側に端末情報即ち機器構成情報を格納しないで、接続端末２に、接続口１０に接続する携帯電話機の機器構成情報を抜き取りこれを格納する機器構成情報格納部を設けるようにしても良い。
【０００８】
前記各販売店４の接続端末２は、通信コネクタ８を通じて、インターネット２０に接続している。２２はデータ変換サーバーであり、その入出力部に接続する通信コネクタ２４が、アクセス管理サーバー２６を通じて、インターネット２０に接続している。なお、本実施形態では、複数の接続端末２と一つのデータ変換サーバー２２とをインターネット２０を通じて接続しているが、各接続端末２にデータ変換サーバー２２の機能を組み込んでも良く、また、販売店に設置された各接続端末２ごとにデータ変換サーバー２２を用意しこれらを互いに直接接続するようにしてもよい。前記データ変換サーバー２２の記憶装置には、データ受信プログラム２８、データ変換プログラム３０、データ保存データベース２４、データ送信プログラム３４が格納されている。
【０００９】
前記データ抜き取りプログラム１２は、パスワードが接続端末２に入力されると、接続口１０に接続されている旧携帯電話機２８及び接続端末２の機器構成情報格納部から元データ即ちオリジナルデータ４０を抜き取り、元データ４０を出力する、元データ抜き取り手段を構成している。前記元データ４０は、図５に示すように、旧携帯電話機２８の旧端末情報４２および新携帯電話機の新端末情報４４が付加され、これに加えて、旧携帯電話機内の電話帳情報４６、画像情報４８、着メロ情報５０、その他のユーザーによって旧携帯電話機２８に記録されている情報５２により構成される。前記端末情報４２，４４は、キャリア情報、製造メーカの機種情報とからなり、元データ抜き取り手段はこの端末情報を接続端末２に接続する携帯電話機３６，３８から、または電話機接続コネクタ６に接続する内部記憶装置に格納されている端末情報データベースから抜き取る。
【００１０】
前記データ送信プログラム１４は、前記元データ４０を元データ抜き取り手段から受け取り、元データを通信コネクタ８を通じてインターネット上に送信する元データ送信手段を構成している。前記データ受信プログラム１６は、インターネット２０を通じてデータ変換サーバー２２から出力された変換データを受信し、該変換データを出力する変換データ受信手段を構成している。前記データ書き込みプログラム１８は、受信した変換データを接続口１０に接続する新携帯電話機３０の記憶装置に書き込む、変換データ書き込み手段を構成している。
【００１１】
前記データ受信プログラム２８は、接続端末２から元データ４０を受信し、この受信した元データ４０を出力する元データ受信手段を構成している。前記データ変換プログラム３０は、図４に示すように、受信した元データ４０から、端末情報を取得し（ステップ１）、元データ４０の電話帳データ（情報）、画像データ（情報）、着メロデータ（情報）、その他のデータ（情報）を新携帯電話機３８の機器構成に対応したデータに変換し（ステップ，３，４，５）、これら変換データをデータ保存データベース３２に出力する（ステップ６）データ変換手段を構成している。
【００１２】
前記データ変換プログラム３０は、入力された元データ４０を図４に示すステップ１〜５を経ないで、そのままの形でデータ保存データベース３２に格納する機能をも有している。アクセス管理サーバー２６は、元データ保管状態を管理し、この保管サービスに対して、販売店側から課金を徴収する。販売店にデータ変換サーバー２２が設置されている場合は、販売店側から、データ変換サーバー２２の元データ保存管理データに基づき、ユーザーに課金が請求される。前記データ送信プログラム３４は、データ保存データベース３２からデータを抽出し、通信コネクタ２４に出力するデータ送信手段を構成している。
【００１３】
次に、本システムの操作フローを図３を参照して説明する。
旧携帯電話機３６のユーザーが、その内部情報を、新たに購入した新携帯電話機３８の内部記憶装置にデータ移動させる場合には、携帯電話機の販売店４に設置してある接続端末２の対応する接続口１０に、旧携帯電話機３６と新携帯電話機３８のデータ入出力部をコード及びコネクタを介して、接続する（ステップ１）。次に、接続端末２にパスワードが入力され、接続端末２のコンピュータがパスワードの入力を確認すると（ステップ２）、データ抜き取り手段が動作し、旧携帯電話機３６及び電話機接続コネクタ６から元データを抜き取る（ステップ３）。
【００１４】
この元データは、接続端末２のデータ送信手段によって通信コネクタ８を通じインターネット２０に送信される（ステップ４）。データ変換サーバー２２側では、アクセス管理サーバー２６により、データ通信アクセス管理が行われ（ステップ５）、販売店４の接続端末２からインターネット２０上に送信された元データを取り込み、アクセスに応じて販売店から課金を徴収する。データ変換サーバー２２は、アクセス管理サーバー２６を通じて元データをデータ受信手段により受信する（ステップ６）。
【００１５】
この元データの旧携帯電話機内情報は、旧端末情報４２と新端末情報４４に基づいてデータ変換手段により、新携帯電話機の機器構成（端末構成）に適合したデータに変換され（ステップ７）、データ保存データベース３２に保管される（ステップ８）。次に、データ変換サーバー２２の変換データ送信手段によって、変換データがデータ保存データベース３２から呼び出され、変換データは、通信コネクタ２４を通じてインターネット２０上に送信される（ステップ９）。データ変換サーバー２２側から送信された変換データは、インターネットを通じて、販売店４側の接続端末２の変換データ受信手段により受信され（ステップ１０）、新携帯電話機３８に変換データが書き込まれる（ステップ１１）。これにより、旧携帯電話機３６から新携帯電話機３８へのデータの移動処理が完了する。
【図面の簡単な説明】
【００１６】
【図１】本発明のブロック説明図である。
【図２】本発明の機能説明ブロック図である。
【図３】本発明の動作を示すフローチャートである。
【図４】変換プログラムの動作を示すフローチャート図である。
【図５】元データの説明図である。
【符号の説明】
【００１７】
２      接続端末
４      販売店
６      電話機接続コネクタ
８      通信コネクタ
１０    接続口
１２    データ抜き取りプログラム
１４    データ送信プログラム
１６    データ受信プログラム
１８    データ書き込みプログラム
２０    インターネット
２２    データ変換サーバー
２４    通信コネクタ
２６    アクセス管理サーバー
２８    データ受信プログラム
３０    データ変換プログラム
３２    データ保存データベース
３４    データ送信プログラム
３６    旧携帯電話機
３８    新携帯電話機
４０    元データ
４２    旧端末情報
４４    新端末情報
４６    電話帳情報
４８    画像情報
５０    着メロ情報
５２    情報
【図１】
2005328399.tif 000003
【図２】
2005328399.tif 000004
【図３】
2005328399.tif 000005
【図４】
2005328399.tif 000006
【図５】
2005328399.tif 000007